【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
番組のコンテンツのコンテンツベーステーブルを生成する方法であって、
コンテンツのシーケンスを有する番組のジャンルを決定するステップと、
前記コンテンツに基づき、前記シーケンスのそれぞれに対し分類を決定するステップと、
前記ジャンル及び前記分類に基づき、前記シーケンス内のキーフレームを特定するステップと、
前記キーフレームに基づき、コンテンツのコンテンツベーステーブルを生成するステップと、
を有することを特徴とする方法。
【請求項２】
請求項１記載の方法であって、
前記キーフレームは、前記ジャンルと前記分類及び前記キーフレームを相関させるルールセットを適用することにより特定されることを特徴とする方法。
【請求項３】
請求項１記載の方法であって、
前記シーケンスのそれぞれに対し分類を決定するステップは、
前記シーケンスのそれぞれのコンテンツを検討するステップと、
前記コンテンツに基づき、前記シーケンスのそれぞれに分類を割り当てるステップと、
を有することを特徴とする方法。
【請求項４】
請求項１記載の方法であって、
前記分類は、前記シーケンス内の映像コンテンツと音声コンテンツに基づき決定されることを特徴とする方法。
【請求項５】
請求項１記載の方法であって、
前記コンテンツテーブルは、さらに、音声コンテンツ、映像コンテンツまたはテキストコンテンツを有することを特徴とする方法。
【請求項６】
請求項１記載の方法であって、さらに、
前記特定するステップの前に、データベースの前記ルールセットにアクセスするステップを、
有することを特徴とする方法。
【請求項７】
請求項１記載の方法であって、
前記特定するステップは、前記シーケンスに対するフレーム重要度を計算することを有することを特徴とする方法。
【請求項８】
請求項１記載の方法であって、
前記特定するステップは、前記シーケンスに対するキーフレームを特定するため、前記ジャンルと前記分類をマップすることを有することを特徴とする方法。
【請求項９】
請求項１記載の方法であって、さらに、
前記番組をブラウズするため、前記コンテンツテーブルを操作するステップを、
有することを特徴とする方法。
【請求項１０】
請求項１記載の方法であって、さらに、
前記番組内のあるシーケンスにアクセスするため、前記コンテンツテーブルを操作するステップを、
有することを特徴とする方法。
【請求項１１】
請求項１記載の方法であって、さらに、
前記番組のハイライトにアクセスするため、前記コンテンツテーブルを操作するステップを、
有することを特徴とする方法。
【請求項１２】
番組のコンテンツのコンテンツベーステーブルを生成する方法であって、
映像コンテンツ、音声コンテンツ及びテキストコンテンツを有する複数のシーケンスを有する番組のジャンルを決定するステップと、
前記映像コンテンツ、音声コンテンツ及びテキストコンテンツに基づき、前記シーケンスのそれぞれに分類を割り当てるステップと、
ルールセットを適用することにより、前記ジャンル及び前記分類に基づき、前記シーケンス内のキーフレームを特定するステップと、
前記キーフレームに基づき、コンテンツのコンテンツベーステーブルを生成するステップと、
を有することを特徴とする方法。
【請求項１３】
請求項１２記載の方法であって、さらに、
前記割り当てるステップの前に、前記シーケンスのそれぞれに対して分類を決定するため、前記シーケンスの映像コンテンツと音声コンテンツを検討するステップを、
有することを特徴とする方法。
【請求項１４】
請求項１２記載の方法であって、
前記コンテンツのコンテンツベーステーブルは、前記キーフレームを有することを特徴とする方法。
【請求項１５】
請求項１２記載の方法であって、
前記ルールセットは、前記ジャンルと前記分類及び前記キーフレームを相関させることを特徴とする方法。
【請求項１６】
番組のコンテンツのコンテンツベーステーブルを生成するシステムであって、
コンテンツの複数のシーケンスを有する番組のジャンルを決定するジャンルシステムと、
前記コンテンツに基づき、前記番組のシーケンスのそれぞれに対して分類を決定する分類システムと、
前記ジャンル及び前記分類に基づき、前記シーケンス内のキーフレームを特定するフレームシステムと、
前記キーフレームに基づき、コンテンツのコンテンツベーステーブルを生成するテーブルシステムと、
を有することを特徴とするシステム。
【請求項１７】
請求項１６記載のシステムであって、
前記キーフレームは、前記ジャンルと前記分類及び前記キーフレームを相関させるルールセットを適用することにより特定されることを特徴とするシステム。
【請求項１８】
請求項１６記載のシステムであって、
前記分類システムは、
前記シーケンス内の音声コンテンツを調べる音声調査システムと、
前記シーケンス内の映像コンテンツを調べる映像調査システムと、
前記シーケンス内のテキストコンテンツを調べるテキスト調査システムと。
前記音声コンテンツ、映像コンテンツ及びテキストコンテンツに基づき、前記シーケンスのそれぞれに分類を割り当てる割当システムと、
を有することを特徴とするシステム。
【請求項１９】
請求項１６記載のシステムであって、
前記コンテンツテーブルは、前記適用するステップから決定された決定されたキーフレームを有することを特徴とするシステム。
【請求項２０】
請求項１６記載のシステムであって、さらに、
前記適用するステップの前に、データベースの前記ルールセットにアクセスすることを、
有することを特徴とするシステム。
【請求項２１】
実行時に番組のコンテンツのコンテンツベーステーブルを生成する、記録可能な媒体に格納されるプログラムであって、
コンテンツの複数のシーケンスを有する番組のジャンルを決定するプログラムコードと、
前記コンテンツに基づき、前記番組のシーケンスのそれぞれに対する分類を決定するプログラムコードと、
前記ジャンル及び前記分類に基づき、前記シーケンス内のキーフレームを特定するプログラムコードと、
前記キーフレームに基づき、コンテンツのコンテンツベーステーブルを生成するプログラムコードと、
を有することを特徴とするプログラム。
【請求項２２】
請求項２１記載のプログラムであって、
前記キーフレームは、前記ジャンルと前記分類及び前記キーフレームと相関させるルールセットを適用することにより特定されることを特徴とするプログラム。
【請求項２３】
請求項２１記載のプログラムであって、
前記分類を決定するプログラムコードは、
前記シーケンス内の音声コンテンツを調べるプログラムコードと、
前記シーケンス内の映像コンテンツを調べるプログラムコードと、
前記シーケンス内のテキストコンテンツを調べるプログラムコードと。
前記音声コンテンツ、映像コンテンツ及びテキストコンテンツに基づき、前記シーケンスのそれぞれに分類を割り当てるプログラムコードと、
を有することを特徴とするプログラム。
【請求項２４】
請求項２１記載のプログラムであって、
前記コンテンツテーブルは、前記適用するステップから決定された前記キーフレームを有することを特徴とするプログラム。
【請求項２５】
請求項２１記載のプログラムであって、さらに、
前記適用するステップの前に、データベースの前記ルールセットにアクセスすることを、
有することを特徴とするプログラム。